(57)【要約】【課題】開閉器のはんだ接合部に生じた亀裂を事前に検出することができるヒートポンプ式給湯機の制御装置を提供する。【解決手段】開閉器温度検出手段４６によって運転中、第２の開閉器３５の温度を常時検出する。これによって、第２の開閉器３５に異常がないか常時観察を行う。【選択図】図１
2011112276.tif 000002
【特許請求の範囲】
【請求項１】
交流電源の片側の電源ラインに接続されたリアクタと、交流電源のもう片側のラインに接続された直列接続の第１の開閉器と正極性サーミスタに並列に接続された第２の開閉器と、前記リアクタを介して全波整流する第１のブリッジ整流回路と、交流電源から直接全波整流する第２のブリッジ整流回路と、前記第１のブリッジ整流回路の直流出力端に接続されて圧縮機を駆動するインバータ回路と、前記第２のブリッジ整流回路の直流出力端に接続された直流−直流コンバータ回路と、インバータ回路駆動手段と、第１及び第２の開閉器を駆動する開閉器駆動手段と、第２の開閉器の温度を検出する開閉器温度検出手段を備え、前記第２の開閉器がオン中に、前記開閉器温度検出手段によって前記第２の開閉器の温度を検出することを特徴とするヒートポンプ式給湯機の制御装置。
【請求項２】
前記開閉器温度検出手段は第２の開閉器に直接接触させたことを特徴とする請求項１に記載のヒートポンプ式給湯機の制御装置。
【請求項３】
前記開閉器温度検出手段にて検出された温度が所定値以上であった場合に、インバータ回路駆動手段にてインバータ回路を停止させて圧縮機を停止することを特徴とする請求項１または２に記載のヒートポンプ式給湯機の制御装置。
【請求項４】
前記インバータ回路駆動手段にて停止させる動作が所定回数以上となった時、開閉器駆動手段にて第２の開閉器をオフすることを特徴とする請求項１〜３のいずれか１項に記載のヒートポンプ式給湯機の制御装置。
【請求項５】
前記第２の開閉器オフ後、タンクユニットへ異常信号を送信し給湯システムを停止させることを特徴とする請求項１〜４のいずれか１項に記載のヒートポンプ式給湯機の制御装置。
【発明の詳細な説明】
【技術分野】
【０００１】
本発明はヒートポンプ式給湯機の制御装置に関するものである。
【背景技術】
【０００２】
従来のヒートポンプ式の制御装置として図３に示すようなものがある。
【０００３】
図３において、ＡＣラインを接続する際は、最初に第２のスイッチ手段１３をオンさせて、ＰＴＣサーミスタ１４を介して平滑用の電解コンデンサ１９を充電することにより回路に流れる突入電流を抑制している。平滑用の電解コンデンサ１９の充電完了後、第１のスイッチ手段１２をオンさせる。その直後、第２のスイッチ手段１３をオフさせる。
【０００４】
次にヒートポンプ式給湯装置の運転中は、第１のスイッチ手段１２をオフ、かつ第２のスイッチ手段１３をオンの状態を継続させる。次にヒートポンプ式給湯装置の運転休止の際は、第１のスイッチ手段１２をオフさせてＡＣラインを遮断する。結果、ヒートポンプ式給湯装置の運転中、ＡＣラインの接続を維持するために第１のスイッチ手段１２のみオンするため、従来に比べて省電力化が可能となる。また、これらのヒートポンプ式給湯機は小型化が進んでおり、制御装置についても限られたスペースにプリント基板などによって制御回路を構成する必要がある為、制御部品を小型化している。
【先行技術文献】
【特許文献】
【０００５】
【特許文献１】特開２００８−２６７６４８号公報
【発明の概要】
【発明が解決しようとする課題】
【０００６】
しかしながら、前記従来の構成では、スイッチ手段１２がオンした後は通常、運転停止するまでオンし続ける為、制御部品とプリント基板のはんだ接合部は運転電流によって常時高温状態となる。
【０００７】
また、運転停止後はスイッチ手段１２がオフされる為、制御部品とプリント基板のはんだ接合部の温度は低下する。これらの動作によってプリント基板と制御部品のはんだ接合部が熱収縮を繰り返し、はんだ接合部にストレスがかかり、はんだの接合状態によっては、はんだ接合部に亀裂が生じる可能性がある。
【０００８】
亀裂は序々に進行する為、接合部の接触抵抗が増えて温度上昇し、プリント基板と制御部品が燃焼してしまう恐れがある。また、スイッチ手段に用いられる制御部品は小型で大電流化が可能なものがあるが、部品端子が細くなる為、接合部に亀裂が生じる可能性が高い。
【０００９】
本発明は前記従来の課題を解決するものであり、スイッチ手段のはんだ接合部の経年変化によって生じる可能性のある亀裂を事前に検出して、安全性の高いヒートポンプ式給湯機の制御装置を提供することを目的とする。
【課題を解決するための手段】
【００１０】
上記従来の課題を解決する為に、本発明のヒートポンプ式給湯機の制御装置は、交流電源の片側の電源ラインに接続されたリアクタと、交流電源のもう片側に接続された直列接続の第１の開閉器と正極性サーミスタに並列に接続された第２の開閉器と、前記リアクタ
を介して全波整流する第１のブリッジ整流回路と、交流電源から直接全波整流する第２のブリッジ整流回路と、前記第１のブリッジ整流回路の直流出力端に接続されて圧縮機を駆動するインバータ回路と、前記第２のブリッジ整流回路の直流出力端に接続された直流−直流コンバータ回路と、インバータ回路駆動手段と、第１及び第２の開閉器を駆動する開閉器駆動手段と、第２の開閉器の温度を検出する開閉器温度検出手段を備え、第２の開閉器オン中に開閉器温度検出手段によって、第２の開閉器の温度を検出することで、はんだ接合部の亀裂によって生じる温度上昇を事前に検出することが可能となる。
【発明の効果】
【００１１】
本発明のヒートポンプ式給湯機の制御装置は、開閉器のはんだ接合部の亀裂を事前に検出することが可能となり、安全性を高めることができる。
【図面の簡単な説明】
【００１２】
【図１】本発明の実施の形態１におけるヒートポンプ式給湯機の制御装置の構成図
【図２】本発明の実施の形態１における開閉器温度検出手段の固定方法図
【図３】従来の空気調和機の構成図
【発明を実施するための形態】
【００１３】
第１の発明のヒートポンプ式給湯機の、交流電源の片側の電源ラインに接続されたリアクタと、交流電源のもう片側に接続された直列接続の第１の開閉器と正極性サーミスタに並列に接続された第２の開閉器と、前記リアクタを介して全波整流する第１のブリッジ整流回路と、交流電源から直接全波整流する第２のブリッジ整流回路と、前記第１のブリッジ整流回路の直流出力端に接続されて圧縮機を駆動するインバータ回路と、前記第２のブリッジ整流回路の直流出力端に接続された直流−直流コンバータ回路と、インバータ回路駆動手段と、第１及び第２の開閉器を駆動する開閉器駆動手段と、第２の開閉器の温度を検出する開閉器温度検出手段備え、第２の開閉器オン中に開閉器温度検出手段によって、第２の開閉器の温度を検出することで、はんだ接合部の経年変化によって生じる可能性のある亀裂を事前に検出することができる。
【００１４】
第２の発明のヒートポンプ式給湯機の制御装置は、前記開閉器温度検出手段は第２の開閉器に直接接触させることによって、第２の開閉器のはんだ接合部の温度をより正確に検出することができる。
【００１５】
第３の発明のヒートポンプ式給湯機の制御装置は、前記開閉器温度検出手段にて検出された温度が所定値以上であった場合にインバータ回路駆動手段にてインバータ回路を停止させて圧縮機を停止することで第２の開閉器のはんだ接合部への通電を停止させることができる。
【００１６】
第４の発明のヒートポンプ式給湯機の制御装置は、前記インバータ回路駆動手段にて停止させる動作が所定回数以上となった時、開閉器駆動手段にて第２の開閉器をオフすることで、開閉器温度検出手段にて検出された検出値の信頼性を向上させつつ、第２の開閉器への通電を完全に遮断することができる。
【００１７】
第５の発明のヒートポンプ式給湯機の制御装置は、前記、第２の開閉器を開放後、タンクユニットへ異常信号を送信し給湯システムを停止させることで、ユーザーにいち早く異常であることを知らせることができる。
【００１８】
以下、本発明の実施の形態について、図面を参照しながら説明する。なお、この実施の形態によって本発明が限定されるものではない。
【００１９】
（実施の形態１）
図１は、本発明の実施の形態１におけるヒートポンプ式給湯機の制御装置の構成の１実施例を示す。図２は開閉器温度検出手段４６、プリント基板、第２の開閉器３５の固定方法を示す。
【００２０】
交流電源３１に電源が印加された後、通常運転時は制御部４３の開閉器駆動手段４４より第１の開閉器３４を駆動させる。その後、第一の平滑コンデンサ３７への充電が十分なされてから、第２の開閉器３５を駆動させる。その後、第１の開閉器３４を開放させ、制御部４３のインバータ回路駆動手段４５よりインバータ回路３８へ駆動信号を送信して圧縮機３９の運転を開始する。
【００２１】
本発明はこの時、開閉器温度検出手段４６によって運転中、第２の開閉器３５の温度を常時検出する。これによって、第２の開閉器３５に異常がないか常時観察を行う。
【００２２】
また、図２のように第２の開閉器３５の真下のプリント基板に穴を開けて、その穴から、開閉器温度検出手段４６（例えばサーミスタ）を接続させる。これによって第２の開閉器３５の温度を正確に検出することができる。
【００２３】
また、開閉器温度検出手段４６にて検出された温度が所定値以上（例えば２００℃）であった場合、インバータ回路駆動手段４５にて、インバータ回路３８の駆動を停止し圧縮機３９を停止させる。これによって、第２の開閉器３５への電流通流を停止させ、はんだ接合部に生じた亀裂による温度上昇を防ぐことができる。
【００２４】
また、開閉器温度検出手段４６によって検出された、第２の開閉器３５の温度上昇が所定回数（例えば、１時間に４回）に達した場合、第２の開閉器３５の異常が確実と判断し、第２の開閉器３５をオフさせる。これによって、温度検出精度を向上させ、かつ第２の開閉器３５への電流通流を完全に遮断することができる。
【００２５】
また、第２の開閉器３５をオフさせた後、制御部４３より、タンク制御部４７へ異常信号を送信する。これによって、ヒートポンプユニットでの異常をタンクユニットへ知らせ、給湯システムを停止させる。また、リモコン４８にて異常表示をし、ユーザーへヒートポンプユニットの故障であることを確実につたえることができる。
【００２６】
以上のように、本実施の形態においては、はんだ接合部の亀裂によって生じる温度上昇を事前に検出することが可能となる。
【産業上の利用可能性】
【００２７】
以上のように、本発明にかかるヒートポンプ式給湯機の制御装置は、開閉器のはんだ整合部にて生じる亀裂から発生する温度上昇を事前に検出することが可能となるので、開閉器を使用する空気調和機などの用途にも有用である。
【符号の説明】
【００２８】
３１  交流電源
３２  リアクタ
３３  正極性サーミスタ
３４  第１の開閉器
３５  第２の開閉器
３６  第１のブリッジ整流回路
３７  第１の平滑コンデンサ
３８  インバータ回路
３９  圧縮機
４０  第２のブリッジ清流回路
４１  第２の平滑コンデンサ
４２  直流−直流コンバータ回路
４３  制御部
４４  開閉器駆動手段
４５  インバータ回路駆動手段
４６  開閉器温度検出手段
４７  タンク制御部
４８  リモコン
【図２】
2011112276.tif 000003
【図３】
2011112276.tif 000004
【図１】
2011112276.tif 000005